(57)【要約】【課題】柱の引抜き耐力をより高いものにすることができ、それでいて、土台の取付けも容易にすることができる、木造建物における基礎直結金物を用いた柱と土台の取付け構造を提供する。【解決手段】基礎直結金物２が、柱下に備えられて柱下で基礎側アンカー８に連結されると共に柱３を連結した直結金物本体部５と、柱３から側方に離れて備えられ、該側方に離れた位置で基礎側アンカー１５に連結された補助プレート部６と、直結金物本体部５と補助プレート部６とを一体化するように連結する垂直な脚プレート部７とを備え、柱３に作用する引抜き力が、柱下の基礎アンカー８と、補助プレート部６を連結している基礎アンカー１５とに伝えられるようになされており、かつ、脚プレート部に土台が取り付けられている。【選択図】      図１
2008014009.tif 000002
【特許請求の範囲】
【請求項１】
柱が基礎直結金物で基礎に直結された木造建物における基礎直結金物を用いた柱の取付け構造において、
前記基礎直結金物が、
柱下に備えられて柱下で基礎側アンカーに連結されると共に、柱を連結した直結金物本体部と、
柱から側方に離れて備えられ、該側方に離れた位置で基礎側アンカーに連結された補助プレート部と、
直結金物本体部と補助プレート部とを一体化するように連結する垂直な脚プレート部と
を備え、柱に作用する引抜き力が、柱下の基礎アンカーと、直結金物本体部、脚プレート部、補助プレート部を通じて、補助プレート部を連結している基礎アンカーとに伝えられるようになされており、かつ、
該脚プレート部に土台が取り付けられていることを特徴とする、木造建物における基礎直結金物を用いた柱と土台の取付け構造。
【請求項２】
前記土台の端部に垂直なスリットが入れられ、該スリット内に基礎直結金物の垂直な脚プレート部が差し込まれ、側方よりドリフトピンが打ち込まれることで、土台が脚プレート部に取り付けられている請求項１に記載の、木造建物における基礎直結金物を用いた柱と土台の取付け構造。
【発明の詳細な説明】
【技術分野】
【０００１】
本発明は、木造建物における基礎直結金物を用いた柱と土台の取付け構造に関する。
【背景技術】
【０００２】
木造建物における柱の取付け構造として、柱の、引抜き力に対する耐力を大きなものにするため、図８及び図９に示すように、基礎直結金物５１を用い、該基礎直結金物５１を柱５２とコンクリート基礎５３との間に介設し、該基礎直結金物５１を柱下で基礎アンカー５４に連結すると共に、該基礎直結金物５１に柱５２をドリフトピン５５で連結した構造がある。
【特許文献１】特開２０００−１６０６８２号公報
【発明の開示】
【発明が解決しようとする課題】
【０００３】
しかしながら、上記のような構造では、図８（ハ）に示すように、土台５６の取付けのために、基礎直結金物５１とは別の独立部品からなるＬ字プレートなどの土台取付け部材５７を用いて土台５６を柱５２に取り付けなければならず、施工が厄介である。
【０００４】
また、柱の引抜き耐力を高めるために、柱下のアンカー５４を、図示するように複数本にすると、基礎コンクリート中でのアンカー５４，５４のかぶり厚さの確保が難しくなることがあり、柱の引抜き耐力を高めるのに限界がある。
【０００５】
本発明は、上記のような問題点に鑑み、柱の引抜き耐力をより高いものにすることができ、それでいて、土台の取付けも容易にすることができる、木造建物における基礎直結金物を用いた柱と土台の取付け構造を提供することを課題とする。
【課題を解決するための手段】
【０００６】
上記の課題は、柱が基礎直結金物で基礎に直結された木造建物における基礎直結金物を用いた柱の取付け構造において、
前記基礎直結金物が、
柱下に備えられて柱下で基礎側アンカーに連結されると共に、柱を連結した直結金物本体部と、
柱から側方に離れて備えられ、該側方に離れた位置で基礎側アンカーに連結された補助プレート部と、
直結金物本体部と補助プレート部とを一体化するように連結する垂直な脚プレート部と
を備え、柱に作用する引抜き力が、柱下の基礎アンカーと、直結金物本体部、脚プレート部、補助プレート部を通じて、補助プレート部を連結している基礎アンカーとに伝えられるようになされており、かつ、
該脚プレート部に土台が取り付けられていることを特徴とする、木造建物における基礎直結金物を用いた柱と土台の取付け構造によって解決される。
【０００７】
この構造では、基礎直結金物の直結金物本体部によって柱が柱下の基礎アンカーに直結されているのに加えて、柱から側方に離れた位置で基礎側アンカーに連結されている補助プレート部が垂直な脚プレート部を介して直結金物本体部に連結され、柱に作用する引抜き力が、柱下の基礎アンカーと、直結金物本体部、脚プレート部、補助プレート部を通じて、補助プレート部を連結している基礎アンカーとに伝えられるようになされているので、各基礎アンカーのかぶり厚さを充分に確保しつつ、柱の引抜き耐力を高いものにすることができる。
【０００８】
特に、脚プレート部が垂直方向に向けられていることにより、柱に作用する引抜き力が、直結金物本体部から脚プレート部を介して補助プレート部に効率良く伝えられ、柱の引抜き耐力を非常に高いものにすることができる。
【０００９】
しかも、引抜き耐力向上に寄与する垂直な脚プレート部を利用して土台を取り付ける構造としているので、他の土台取付け用金物を用いる場合に比べて、土台の取付けを容易にすることができる。
【００１０】
上記の構造において、前記土台の端部に垂直なスリットが入れられ、該スリット内に基礎直結金物の垂直な脚プレート部が差し込まれ、側方よりドリフトピンが打ち込まれることで、土台が脚プレート部に取り付けられている場合は、垂直な脚プレート部への土台の取付けを簡素な構造で施工容易に行うことができると共に、土台の取付け状態も浮き上がりなどのないしっかりとしたものにすることができる。
【発明の効果】
【００１１】
本発明は、以上のとおりのものであるから、柱の引抜き耐力をより高いものにすることができ、それでいて、土台の取付けも容易にすることができる。
【発明を実施するための最良の形態】
【００１２】
次に、本発明の実施最良形態を図面に基づいて説明する。
【００１３】
図１〜図４に示す第１実施形態の構造において、１はコンクリート基礎、２は基礎直結金物、３は木製の柱、４は同じく木製の土台である。
【００１４】
基礎直結金物２は、基礎１の平面視Ｌ字部分に用いられるもので、１つの直結金物本体部５と、２つの補助プレート部６，６と、２つの脚プレート部７，７とを備えている。なお、基礎１には、柱下部分と、柱から側方に離れた位置に、アンカー８，１５，１５が、基礎コンクリートのかぶり厚さを充分に確保することのできる基礎１の幅方向中心側に位置して備えられている。
【００１５】
直結金物本体部５は、柱３の下に備えられて、柱下で基礎１のアンカー８に連結されると共に、柱３を連結するもので、ベースプレート部９と、該ベースプレート部９上に立設された平面視十字状の差込み部１０とを一体的に備えたものからなっている。
【００１６】
ベースプレート部９には、その中央部一カ所に、アンカー８を通す通孔１１が設けられると共に、十字状の差込み部１０の芯部側の下端側には切欠き部１２が設けられ、通孔１１に通したアンカー８に対してナット１３を切欠き部１２を通じて装着することができるようになされている。
【００１７】
十字状差込み部１０は、柱３の下端部に設けられた十字状スリット３ａに差し込まれて柱３を連結するもので、十字状差込み部１０の各板部には、ドリフトピンを打ち込む孔１４…が設けられている。
【００１８】
各補助プレート部６は、柱３から側方に離れて備えられ、該側方に離れた位置で基礎側アンカー１５に連結されるもので、中央部一カ所に、アンカー１５を通す通孔１６が設けられている。
【００１９】
脚プレート部７は、直結金物本体部５と補助プレート部６とを一体化するように連結するもので、三角状をしていて、垂直に向けられ、直結金物本体部５の中央部と補助プレート部６の中央部とをつないでおり、面内にはドリフトピンを打ち込む孔１７が明けられている。
【００２０】
施工は、まず、基礎１に対して基礎直結金物２の取付けを行う。即ち、基礎直結金物２の直結金物本体部５のベースプレート部９の通孔１１に柱下のアンカー８を通すと共に、補助プレート部６，６の通孔１６，１６に、柱から側方に離れた位置に設けられたアンカー１５，１５を通し、各アンカー８，１５，１５にナット１３…を装着して緊結する。
【００２１】
しかる後、柱３と土台４，４の取付けを行う。柱３は、その下端部に設けられた十字状スリット３ａに直結金物本体部５の十字状差込み部１０を差し込むようにしてセットし、側方からドリフトピン１８…を打ち込めば、直結金物本体部５に連結される。
【００２２】
また、各土台４は、その端部に設けられた垂直なスリット４ａ内に、基礎直結金物２の垂直な脚プレート部７を差し込むようにセットし、側方よりドリフトピン１８を打ち込めば、脚プレート部７に連結される。
【００２３】
このように、上記の構造によれば、基礎直結金物２の直結金物本体部５によって柱３が柱下の基礎アンカー８に直結されているのに加えて、柱３から側方に離れた位置で基礎側アンカー１５，１５に連結されている補助プレート部６，６が垂直な脚プレート部７，７を介して直結金物本体部５に連結され、柱３に作用する引抜き力が、柱下の基礎アンカー８と、直結金物本体部５、脚プレート部７，７、補助プレート部６，６を通じて、補助プレート部６を連結している基礎アンカー１５，１５とに伝えられるようになされているので、各基礎アンカー８，１５，１５のかぶり厚さを充分に確保しつつ、柱３の引抜き耐力を高いものにすることができる。
【００２４】
特に、脚プレート部７，７は垂直方向を向けられていることにより、柱３に作用する引抜き力は、直結金物本体部５から脚プレート部７を介して補助プレート部６に効率良く伝えられ、引抜き耐力を非常に高いものにすることができる。
【００２５】
しかも、このように引抜き耐力向上に寄与する垂直な脚プレート部７，７を利用して土台４，４を取り付ける構造としているので、他の土台取付け用金物が不要で、土台４の取付けを容易にすることができる。特に、脚プレート部７は、土台４の端部に設けられた垂直なスリット４ａに差し込まれ、側方より打ち込んだドリフトピン１８で土台４を連結させる構造となっているので、垂直な脚プレート部７への土台４の取付けを簡素な構造で施工容易に行うことができると共に、土台４の取付け状態も浮き上がりなどのないしっかりとしたものにすることができる。
【００２６】
図５〜図７に示す第２実施形態の構造は、脚プレート部７が帯板状のものからなっていると共に、基礎直結金物２の直結金物本体部５が、上下の板９，２１の両サイドを側板２２で連結した側方開放のボックス形のものの上板部２１の上に十字状の差込み部１０を設けたものからなっており、柱下のアンカー８に対してナット１３をボックス形直結金物本体部５の側方開口部を通じて装着することができるようになされている。その他は、第１実施形態の構造と同様であり、同様の作用効果が奏される。
【００２７】
なお、上下の板９，２１の間隔寸法が小さい場合は、図示しないが、上板２１の中央部に孔を設けると共に、十字状差込み部１０の芯部側の下端側に切欠きを設け、アンカー８へのナット１３の装着を上板２１の中央部の孔を通じて行うことができるようになされていてもよい。
【００２８】
以上に、本発明の実施形態を示したが、本発明はこれに限られるものではなく、発明思想を逸脱しない範囲で各種の変更が可能である。例えば、上記の実施形態では、特定構造をした２種類を示したが、基礎直結金物２の具体的形態に制限はなく、また、直結金物本体部５をはじめ、補助プレート部６や脚プレート部７についても種々の形態が採用されてよいし、また、直結金物本体部５と脚プレート部７との連結部分の構造や、脚プレート部７と補助プレート部６との連結部分の構造についても種々の形態が採用されてよい。更に、直結金物本体部５と柱３の連結構造や、脚プレート部７と土台４の連結構造についても種々の構造が採用されてよい。
【００２９】
また、上記の実施形態では、平面視Ｌ状の基礎部分に用いた場合を示したが、平面視直線状、平面視十字状、平面視Ｔ字状の基礎部分に用いることも可能である。また、補助プレート部６は、平面視直線状や平面視Ｌ状の基礎部分においては、１つ又は２つ備えられていればよく、平面視Ｔ字状の基礎部分では１つないし３つ備えられていればよく、平面視十字状の基礎部分では１つないし４つ備えられていればよい。
【００３０】
更に、上記の実施形態では、直結金物本体部５に対するアンカー８が１本で、各補助プレート部６に対するアンカー１５がそれぞれ１本である場合を示したが、各部のアンカーの本数は基礎コンクリートのかぶり厚さとの関係で決められればよく、複数本であってもよい。
【図面の簡単な説明】
【００３１】
【図１】第１実施形態の構造を示す分解斜視図である。
【図２】図（イ）は基礎直結金物の斜視図、図（ロ）は同金物を基礎に取り付けた状態の平面図である。
【図３】同取付け構造の分解正面図である。
【図４】図（イ）は基礎の平面図、図（ロ）は柱、土台の取付け状態を示す正面図である。
【図５】第２実施形態の構造を示すもので、図（イ）は基礎直結金物を斜視図、図（ロ）は同金物を基礎に取り付けた状態の平面図である。
【図６】同取付け構造の分解正面図である。
【図７】図（イ）は基礎の平面図、図（ロ）は柱、土台の取付け状態を示す正面図である。
【図８】従来構造を示すもので、図（イ）は基礎直結金物の斜視図、図（ロ）は基礎の平面図、図（ロ）は柱、土台の取付け状態を示す正面図である。
【図９】図（イ）は基礎直結金物を基礎に取り付けた状態の平面図、図（ハ）は同正面面図である。
【符号の説明】
【００３２】
１…基礎
２…基礎直結金物
３…柱
４…土台
５…直結金物本体部
６…補助プレート部
７…脚プレート部
８…アンカー
１５…アンカー
【図１】
2008014009.tif 000003
【図２】
2008014009.tif 000004
【図３】
2008014009.tif 000005
【図４】
2008014009.tif 000006
【図５】
2008014009.tif 000007
【図６】
2008014009.tif 000008
【図７】
2008014009.tif 000009
【図８】
2008014009.tif 000010
【図９】
2008014009.tif 000011